(57)【要約】【課題】ライトワンス媒体へのユーザデータ記録の際、ユーザデータを管理する管理情報を追記動作により更新していくことにより発生するリンキング変動を抑え、ＤＶＤプレーヤでの再生互換の信頼性を確保すること。【解決手段】管理情報である最終ＩＦＯ８を記録する前に、連続した複数ブロックのダミーデータ３３を、一回の動作で記録し、そのダミーデータの後に最終ＩＦＯ８を追記記録する。これにより、管理情報のリンキング部で、リンキング精度の悪化を抑えることが出来、ＤＶＤプレーヤによる互換再生時に、正常に管理情報を読み出すことが出来る。【選択図】  図６
2004288230.tif 000002
【特許請求の範囲】
【請求項１】
データの書き換えが不可能な情報記録媒体に対し、前記情報記録媒体から得られる同期信号を基準にデータを記録する情報記録方法において、
前記情報記録媒体にダミーデータを記録し、
前記ダミーデータ内に存在する同期信号を基準にして前記データを管理する管理情報を記録することを特徴とする情報記録方法。
【請求項２】
データの書き換えが不可能な情報記録媒体に所定の記録単位でデータを記録する情報記録方法において、
前記情報記録媒体にデータを記録し、
前記情報記録媒体から得られる同期信号を基準に少なくとも２記録単位以上のダミーデータと前記データを管理する管理情報とを一回の記録動作で記録することを特徴とする情報記録方法。
【請求項３】
請求項２記載の情報記録方法において、前記所定の記録単位がＥＣＣブロック単位であることを特徴とする情報記録方法。
【請求項４】
請求項１記載の情報記録方法において、複数のファイルからなる前記管理情報を、前記記録媒体であるＤＶＤ−Ｒに記録することを特徴とする情報記録方法。
【請求項５】
請求項４記載の情報記録方法において、前記管理情報を構成する各ファイルを個別に記録することを特徴とする情報記録方法。
【請求項６】
データの書き換えが不可能な情報記録媒体に対し、前記情報記録媒体から得られる同期信号を基準にデータを記録する情報記録装置において、
前記情報記録媒体にダミーデータを記録する手段と、
前記ダミーデータ内に存在する同期信号を基準にして前記データを管理する管理情報を記録する手段とを備えたことを特徴とする情報記録装置。
【請求項７】
データの書き換えが不可能な情報記録媒体に所定の記録単位でデータを記録する情報記録装置において、
前記情報記録媒体にデータを記録する手段と、
前記情報記録媒体から得られる同期信号を基準に少なくとも２記録単位以上のダミーデータと前記データを管理する管理情報とを一回の記録動作で記録する手段とを備えたことを特徴とする情報記録装置。
【請求項８】
請求項７記載の情報記録装置において、前記所定の記録単位がＥＣＣブロック単位であることを特徴とする情報記録装置。
【請求項９】
請求項８記載の情報記録装置において、複数のファイルからなる前記管理情報を、前記記録媒体であるＤＶＤ−Ｒに記録することを特徴とする情報記録装置。
【請求項１０】
請求項９記載の情報記録装置において、前記管理情報を構成する各ファイルを個別に記録することを特徴とする情報記録装置。
【発明の詳細な説明】
【０００１】
【発明の属する技術分野】
本発明は、記録可能な光ディスクへのデータの記録技術に関する。
【０００２】
【従来の技術】
光ディスクは大容量の情報を記録でき、かつ記録媒体互換が可能な特徴を備えている。
【０００３】
各種光ディスクの中で、コンピュータ、映像、音楽といった大容量の情報を同じ記録媒体で扱えるＤＶＤ（Ｄｉｇｉｔａｌ  Ｖｅｒｓａｔｉｌｅ  Ｄｉｓｃ）は、ＰＣ、ＡＶ機器等の新しい大容量記憶媒体として注目されており、再生専用のＤＶＤプレーヤの普及にくわえ、記録もできるＤＶＤレコーダの登場により、急速に市場を拡大しつつある。
【０００４】
記録型光ディスクの普及に伴い、光ディスクの互換性がユーザの要望として重要視されている。ところが、既に広く普及している多くのＤＶＤプレーヤは、ＤＶＤレコーダで採用している書替え可能なフォーマットであるＤＶＤ−ＲＡＭ（ＤＶＤ−Ｒａｎｄｏｍ  Ａｃｃｅｓｓ  Ｍｅｍｏｒｙ）、ＤＶＤ−ＲＷ（ＤＶＤ−ＲｅＷｒｉｔａｂｌｅ）等をサポートしていないために互換性がなく、書替可能なフォーマットのＤＶＤ−ＲＡＭ等で記録した光ディスクをＤＶＤプレーヤで再生できないものがある。そのため、ＤＶＤ−ｖｉｄｅｏフォーマットに準拠するＤＶＤ−Ｒ（ＤＶＤ−Ｒｅｃｏｒｄａｂｌｅ）規格の制定を機に、記録型光ディスクであるＤＶＤ−Ｒの媒体をサポートすることで、高い互換性を確保しようとする動向がある。
【０００５】
リアルタイムにデータを記録する場合、ディスク全面にデータを記録し終わる前であって任意のデータを記録した時点で、装置の電源を切ったり、装置からディスクを取り出したりする場合がある。このとき、既に記録したデータに続けて新しいデータの追記を保証するために、その時点までにディスク上に記録されたデータを管理する必要がある。このため、このディスクを管理するための管理情報（以後、中間ＩＦＯファイルと呼ぶ）を、データの記録を行うたびに更新していく。
【０００６】
図１に、映像シーンのデータをファイル形式で記録した際に、ＤＶＤ−Ｒ上で中間ＩＦＯファイルが更新されていく状態を示す。一般的に、ディスクの記録領域は、その種類に応じて、ユーザデータを記録する領域（映像情報領域１と称す）と、ディスクに記録されたデータであるファイルを管理する管理情報領域２に分けられる。図１（ａ）は、映像シーン２まで記録したときの中間ＩＦＯファイルと各映像シーンのファイルのＤＶＤ−Ｒ上での位置関係を示す。映像シーン２のファイル４は、映像シーン１のファイル３に、連続的につながるように追記する。また、映像シーン２のファイル４が追記されたことにより、ディスク上のファイル構造が変わったため、新たに管理情報を更新するため中間ＩＦＯファイル２（符号５）を記録する。
【０００７】
ＤＶＤ−Ｒは、ライトワンス媒体であるため、古い中間ＩＦＯファイルの上に新しい中間ＩＦＯファイルを記録するといったような上書きをすることが出来ない。このため、管理情報を更新する場合も、映像情報領域１と同様に、前回に記録したデータに連続的につながるように追記していく。したがって、最後に追記された中間ＩＦＯファイルが、最新のディスク上のファイル構造を示していることになる。
【０００８】
図１（ｂ）は、図１（ａ）に続き、更に映像シーンのファイルを追記し、映像シーンＮのファイル６で、ディスク容量の空きが足りなくなり、映像シーンを追記できなくなった状態を示している。この時点で、ＤＶＤ−Ｒ上のファイル構造は完結しており、その状態を管理する情報は中間ＩＦＯファイルＮ（符号７）で示される。したがって、中間ＩＦＯファイルＮ（符号７）が再生できれば、すべての映像シーンのファイルにアクセスが可能である。
【０００９】
しかし、ＤＶＤプレーヤでは、図１（ｂ）の状態では再生することが出来ない。これは、プリプレスにより製作される、ＤＶＤ−ＲＯＭディスクの再生を想定したＤＶＤプレーヤの装置特性に起因する。ＤＶＤ−ＲＯＭのフォーマットでは、内周から外周に向かって、スパイラル状に映像情報等が記録することと規定している。ＤＶＤ−Ｒディスクに記録する際も、ＤＶＤプレーヤで互換再生させるためには、ＤＶＤ−ＲＯＭフォーマットのディスクと同様に、内周から連続的に未記録部分等を含むことなく記録する必要がある。
【００１０】
ユーザがデータ（ファイル）の記録を終え、ＤＶＤプレーヤで互換再生が出来るディスクを作るためには、ファイナライズ処理を行う必要がある。ファイナライズ処理を行うと、図１（ｃ）に示すように、最後に更新された中間ＩＦＯファイルＮ（符号７）を、ＤＶＤ−ＲＯＭのフォーマットに準拠した形式で、最終的な管理情報（以後：最終ＩＦＯファイル８と称す）として新たに書き加える。ＤＶＤプレーヤは、この最終ＩＦＯファイル８を再生することで、ディスク上のファイル構造を取得し、各映像データへのアクセスが可能になる。また、未記録の部分は、ダミーデータ９で埋め、内周から連続的に何らかのデータで埋め尽くされている状態にする。この様な状態で、はじめて、ＤＶＤ−ＲディスクをＤＶＤプレーヤで再生することができる。
【００１１】
各ＩＦＯファイルや映像シーンのファイルを追記していく際、これらファイルの間に、リンキングと呼ばれる継ぎ目が発生する。このリンキングについて図２を用いてさらに説明する。本図では、８０μｍの偏心があるディスクを例に挙げて説明する。
【００１２】
図２（ａ）は、映像シーンのファイルを追記することにより、ディスク上に形成されるリンキング部を示した模式図である。前回（Ｎ−１番目）までの記録データ１０の終端部と、映像データ（Ｎ番目）の記録を開始した際の追記録データ１２が記録開始される始端部は、図２（ａ）のリンキング部１３で示したように記録される。
【００１３】
ＤＶＤプレーヤ等での再生互換において、高い信頼性を確保するためには、理想的には図２（ｃ）に示すようなリンキングが要求される。しかし、ディスクの偏心の影響によりトラックの線速度が変動するため、実際に追記データを記録する際には、図２（ｂ）に示すような未記録のギャップ部分１５が発生したり、その逆に図２（ｄ）に示すようなデータ同士でオーバラップ部分１６が発生したりする。
【００１４】
ＤＶＤ−Ｒのようなライトワンスの記録媒体では、記録したデータのうちオーバラップ部分１６のデータは破壊されてしまうため、ＥＣＣ（Ｅｒｒｏｒ  Ｃｏｒｒｅｃｔｉｎｇ  Ｃｏｄｅ）による訂正能力を落としてしまう場合がある。このオーバラップ部分１６の区間が長くなるとサーボ制御にも影響が生じる。また、ＥＣＣによる訂正能力を落とさず、サーボ制御にも影響を与えないように極力オーバラップ１６部分を少なくしようとすると、逆に、未記録のギャップ部分１５が発生しやすくなる。
【００１５】
記録したデータのオーバラップ部分１６では、ＤＶＤ−Ｒのようなライトワンスの記録媒体の場合、元々に記録されていたデータと、追記する際に上書きしたデータの双方が破壊されてしまう。この問題を考慮した従来技術として、リンキング部を含むＥＣＣブロックをダミーデータにして読み飛ばしたり、リンキング部の近傍のみにダミーデータを挿入して情報の欠落を最小限に抑える手法が開示されている。（例えば、特許文献１参照）
また、データとデータの間に未記録のギャップ１５が生じた場合、元のデータと、追記するデータは、双方とも破壊される事はないが、再生専用機のＤＶＤプレーヤの場合、記録マークを利用したＤＰＤ（Ｄｉｆｆｅｒｅｎｔｉａｌ  Ｐｈａｓｅ  Ｄｅｔｅｃｔｉｏｎ）方式のサーボ制御を採用しているため、未記録部分ではサーボをかけることが出来ず、正常に記録情報を読み出すことが出来ない。
【００１６】
この問題を考慮した他の従来技術として、記録型の記録媒体をＤＶＤプレーヤで再生させるために、未記録のギャップが発生しないように前記録部分のデータ終端部に追記するデータの始端部分をオーバラップするように記録する方法が開示されている。（例えば、特許文献２参照）
【００１７】
【特許文献１】
特開平９−２７０１７１号公報
【特許文献２】
特開平１１−２５４５９号公報
【００１８】
【発明が解決しようとする課題】
しかしながら、上述の従来技術だけでは、ＩＦＯファイルなどのデータ量が少ないファイルの追記記録の際には、高いリンキング精度を保持することができない場合があった。以下に、その理由を記す。
【００１９】
ＩＦＯファイルや映像シーンのファイルの追記時に、記録開始位置のタイミングを生成するために、何らかの基準になるものに同期化する必要がある。この基準は、同期信号（ＳＹＮＣ）を基準にしている。ＳＹＮＣには２種類があり、それぞれを用いた記録方法がある。１つ目は、ディスク上に予め記録されている同期信号（例：ＬＰＰ−ＳＹＮＣ）を基準にする記録方法。２つ目は、前に記録したデータ内に含まれる同期信号（例：ＳＹＮＣ  ｃｏｄｅ）を基準にする記録方法がある。
【００２０】
一般的に、既にデータが記録してある部分では、ＬＰＰ−ＳＹＮＣの検出率が低下する。そのため、既に記録したデータ内のＳＹＮＣ  ｃｏｄｅに同期させて、記録開始位置のタイミングを生成する方法が採用されている。
【００２１】
この、データ部のＳＹＮＣ  ｃｏｄｅに同期化し、記録開始位置のタイミングを生成する記録方法では、データ量の少ないファイル、例えば管理情報領域２に記録されるＩＦＯファイルの追記を繰返し行うと、リンキング部の変動量が拡大していく可能性があることがわかった。その発生メカニズムを、図３を用いて説明する。
【００２２】
図３（ａ）は管理情報を追記していった際に発生する、リンキング部の変動の一例を示す図である。図３（ｂ）は、それぞれの管理情報を追記する際のタイミング生成の同期化位置と記録開始位置の変動を示している。
【００２３】
図３において、記録開始位置の変動は最大で±１０Ｔとし、最初のＮ番目のデータ１７はＬＰＰ−ＳＹＮＣと既に記録したデータ内のＳＹＮＣ  ｃｏｄｅとは正しい位置関係にあるとする。また、記録開始位置を決定するタイミングは、２つ前のデータのＳＹＮＣ  ｃｏｄｅに同期して生成するとする。また、説明の便宜のため、Ｎ〜Ｎ＋５番目のデータ量はすべて同じであるものとする。
【００２４】
ここで、それぞれ２つ前のＳＹＮＣ  ｃｏｄｅに同期化して生成された記録開始タイミングが、Ｎ＋２番目のデータ１８とＮ＋４番目のデータ２０とでは、記録開始位置が遅れる方向に１０Ｔの変動をし、Ｎ＋３番目のデータ１９とＮ＋５番目のデータ２１とでは、記録開始位置が早まる方向に１０Ｔの変動をしたとする。
【００２５】
１回目、２回目の追記における記録開始位置の変動量は１０Ｔであるが、図３（ａ）に示すように、Ｎ＋２番目のデータ１８とＮ＋３番目のデータ１９との間のリンキング部では２０Ｔのオーバラップ２２が発生し、Ｎ＋３番目のデータ１９とＮ＋４番目のデータ２０との間のリンキング部では３０Ｔの未記録のギャップ２３が発生し、また、Ｎ＋４番目のデータ２０とＮ＋５番目のデータ２１との間のリンキング部では４０Ｔのオーバラップ２４が発生する。本図から、リンキング部の変動が、追記を重ねていくに従い拡大していくことがわかる。
【００２６】
この様な大きな変動が発生する要因は、記録開始タイミングを生成するデータが複数（２以上）回前に記録されたデータのＳＹＮＣ  ｃｏｄｅに同期して生成しているためである。一般的に、記録開始位置のタイミングを生成するための同期化は、記録開始位置から、２〜数十ＥＣＣブロック（ＥＣＣブロックはディスク上に記録するデータの記録単位である。）前から図り始める必要がある。これは、記録したデータの欠陥等によるＳＹＮＣ未検出、誤検出を防ぎ、ＳＹＮＣ検出の信頼性を確保するためである。
【００２７】
従って、管理情報などの１〜２ＥＣＣブロック程度のデータ量が少ないデータの追記では、既に記録してあるデータの記録開始位置の変動の影響を受けやすくなり、映像シーンのファイルのようにデータ量が多いデータの追記よりも、追記データの記録開始位置の大きな変動が発生しやすい。
【００２８】
特に、本発明者は、図１に示した最終ＩＦＯ８を記録する際に、上記で示した問題が起こり、ＤＶＤプレーヤの種類によっては管理情報を正常に読み取れず、ディスク認識が出来なくなる可能性があることを見出した。
【００２９】
本発明の目的は、データ同士のオーバラップ、データ間のギャップといったデータの記録位置の変動を抑え、データ再生の信頼性を向上させることができる情報記録技術を提供することにある。
【００３０】
【課題を解決するための手段】
上記目的を達成するため、本発明では、データの書き換えが不可能な情報記録媒体に、既に前記情報記録媒体に記録されたデータ内に存在する同期信号を基準にデータを記録する情報記録技術に対し、前記データを管理する管理情報を記録する場合には、ダミーデータを記録し、前記ダミーデータ内に存在する同期信号を基準にして前記管理情報の記録開始タイミングを決定し、前記記録開始タイミングに従って前記管理情報を記録することとする。
【００３１】
また、本発明では、データの書き換えが不可能な情報記録媒体に、既に前記情報記録媒体に記録されたデータ内に存在する同期信号を基準にデータを所定の記録単位で記録する情報記録技術に対し、前記データを管理する管理情報を記録する場合には、少なくとも２記録単位以上のダミーデータを前記管理情報記録の前に結合した結合データを、一回の記録動作で記録する構成とすることとする。
【００３２】
【発明の実施の形態】
以下に、本発明を適用した第１の実施例の情報記録装置として、映像シーン（動画像）や静止画像をＤＶＤ―Ｒディスクに記録するＤＶＤカメラを例に挙げて説明する。ＤＶＤカメラの用途として、数１０秒単位の映像シーンや静止画像を何度も撮影することが多い、つまり追記の回数が他の情報記録装置に比べて多いことから、本発明を適用するのに一番好ましいものである。ただし、他の情報記録装置、例えばＤＶＤレコーダーであっても本発明の適用範囲であることは言うまでもない。
【００３３】
図４に、本発明の実施例であるＤＶＤカメラのうち、ＤＶＤ−Ｒへのデータ記録に関係する部分の構成するブロック図を示す。本実施例は、上位コントローラ２５、変調部２６、記録データ生成部２７、タイミング生成部２８、記録部２９、再生部３０、データ弁別部３１、復調部３２から構成される。これら各ブロックは、図示しないＣＰＵ等の制御回路によって制御される。
【００３４】
上位コントローラ２５は、記録情報の情報源である。つまり図示しないカメラ部で撮影した映像シーンのデータが上位コントローラ２５から変調部２６に転送される。また、復調部３２で復調されたデータが上位コントローラ２５に転送される。
【００３５】
以下、記録時の動作について説明する。上位コントローラ２５は、記録情報を変調部２６へ送る。変調部２６は、エラー訂正用コード（ＥＣＣ）の付加及び記録情報を記録マークの形式に変換する８／１６変換を行う。記録データ生成部２７は、８／１６変換されたデータに基づいて、ＨｉレベルとＬｏレベルのＮＲＺＩ形式で２値化したパルス形式の記録データを生成する。記録データであるＮＲＺＩ信号は、タイミング生成部２８により生成された記録タイミングに同期して、記録部２９に送られる。タイミング生成部２８は、データ弁別部３１からの同期信号を基準にして、記録タイミングを生成する。タイミング生成部２８で同期信号に同期化された記録データは、記録部２９に順次送られる。記録部２９は、半導体レーザ駆動回路、半導体レーザ、光学系、移動機構からなる光ヘッドからなり、記録データは、半導体レーザ駆動回路に送られ、半導体レーザを駆動してレーザ光を発光させる。光ヘッドから出射したレーザ光ビームは、光ディスクの記録膜面に照射され、記録マークが形成される。
【００３６】
光ディスクに記録されたデータを読み出す際は、再生部３０により行う。再生部３０は、記録部２９と同じ光ヘッドであり、記録時より弱いレーザ光を記録済みの光ディスク上に集光し記録マークにより変調された反射光を検出する。再生部３０は、光ディスク上に記録された情報である再生データとトラッキングやフォーカス制御に必要なサーボ信号等を出力する。再生データは、データ弁別部３１により、データの復調開始点を示す同期信号（ＳＹＮＣパターン）と映像情報等のユーザデータとを弁別する。ユーザデータは、復調部３２で復調され、上位コントローラ２５に送られる。なお、データ弁別部３１を、上述したディスク上に予め記録されている同期信号（例：ＬＰＰ−ＳＹＮＣ）を検出するようにしてもよいし、前に記録したデータ内に含まれる同期信号（例：ＳＹＮＣ  ｃｏｄｅ）を検出するようにしてもよい。ただし、ディスク上に予め記録されている同期信号は、データを記録した後では再生しづらくなるので、前に記録したデータ内に含まれる同期信号を検出するようにしたほうが好ましい。
【００３７】
なお、変調部２６、記録データ生成部２７、タイミング生成部２８、データ弁別部３１及び復調部３２は、回路を用いてハードウエア的に処理を行うように構成してもよいし、プログラムを用いてソフトウエア的に処理を行う構成にしてもよい。
【００３８】
上位コントローラ２５のカメラで映像シーン５０回分のユーザデータを記録したディスクは、中間ＩＦＯも５０回更新される。リンキング１回あたりの記録開始位置の変動は、±１０Ｔ以内である。映像情報領域では、図５（ａ）に示すように、追記を重ねてもリンキング部の変動範囲が拡大していくことはない。この理由は、映像情報はデータ容量が大きく、一度に記録されるＥＣＣブロック（ＥＣＣブロックは、本実施例における、ディスク上に記録するデータの記録単位である。）数が多いために、追記データの記録開始タイミングは、リンキング部を含まない直前に記録された映像データ部から生成されるためである。
【００３９】
しかし、管理情報であるＩＦＯファイルは、一度に記録するブロック数が２ＥＣＣブロックである。そしてその記録開始タイミングは、すでに記録してある複数個前のＩＦＯファイルから生成されるため、その部分のリンキング誤差を累積する形で記録開始タイミングが決められる。
【００４０】
従って、図５（ｂ）に示したように、追記を重ねるごとに、上述のリンキング部の変動範囲が拡大していく。従来行われてきたデータの追記では、番組録画や音声記録といった用途で追記が行われることが多く、このときの追記回数はせいぜい数回程度であったため、このような問題を知見することができなかった。本発明者により始めて知見できたものである。
【００４１】
さらに、５０シーン後のファイナライズ時に記録される最終ＩＦＯは、リンキング部の変動が４０Ｔ前後までになる場合があることが、本発明者による実験で分かった。また、リンキング部のギャップの幅が３０Ｔを超えるあたりからＤＶＤプレーヤの種類によっては、正常に再生が出来ないことも実験的に分かった。
【００４２】
従って、ＤＶＤプレーヤでのデータ再生の信頼性を向上させるために、ＤＶＤプレーヤが再生する最終ＩＦＯのリンキング部の変動を３０Ｔ以下にすることが必要であることが分かった。
【００４３】
本実施例の情報記録装置では、図６（ａ）に示すように最終ＩＦＯの後にダミーデータを挿入するのではなく、図６（ｂ）に示すように中間ＩＦＯ７と最終ＩＦＯ８の間に、ダミーデータ３３を挿入する形でＤＶＤ−Ｒ上にデータを記録する。また、ダミーデータ３３は、光ディスク装置が記録開始タイミングを生成するのに必要なブロック数、より具体的には、２記録単位、例えば２ＥＣＣブロックより大きくする。中間ＩＦＯ、最終ＩＦＯ、ダミーデータの各ファイルの位置関係を図６のようにすることで、最終ＩＦＯ８を記録するときの動作の概念は、図７に示すようになる。
【００４４】
５０シーン目の中間ＩＦＯファイルとダミーデータ３３との間には、最大で±４０Ｔのオーバラップ部あるいはギャップ部が発生する。一方、ダミーデータ３３を挿入することにより、最終ＩＦＯ８（ＶＩＤＥＯ＿ＴＳ．ＩＦＯファイル３７とＶＩＤＥＯ＿ＴＳ．ＶＯＢファイル３８とＶＩＤＥＯ＿ＴＳ．ＢＵＰファイル３９とＶＴＳ＿０１＿０．ＩＦＯファイル４０とから構成される）を記録する際の記録開始タイミングは、ダミーデータ３３内のＳＹＮＣ  ｃｏｄｅを検出し、同期化される。このため、リンキング部を含まない直前に記録されたデータ（ダミーデータ３３）からタイミング生成されるため、データ量の大きい映像シーンのファイルの追記と同じ条件で記録タイミングを生成することが出来る。したがって、リンキング部の精度は、図５（ａ）で示すものと同等であり、最終ＩＦＯのリンキング部の変動３４は、±１０Ｔ以内に抑えることができ、データ再生の信頼性を向上させることができる。
【００４５】
なお、ここで説明した実施例は、ＤＶＤカメラで記録したデータをＤＶＤプレーヤで再生するといった互換再生の信頼性向上を目的とするものであるが、自己再生の信頼性を向上させるために、中間ＩＦＯの記録においても同様の技術を採用することができる。
【００４６】
従来の、ダミーデータを挿入することなく、中間ＩＦＯに続けて最終ＩＦＯを記録していた場合、ディスク１０枚中１枚の確率で４０Ｔ程度のばらつきが、最終ＩＦＯのリンキング部分で発生し、その結果、ＤＶＤプレーヤによっては、再生できない場合があった。それに対し、本実施例を適用した結果では、最終ＩＦＯ部のリンキング部では、１０Ｔ以内のばらつきに抑えられているため、問題なく再生が可能になった。
【００４７】
以下に、本発明を適用した第２の実施例について説明する。データの記録手順が変わるのみであり、情報記録装置自体の構成、動作は、第１の実施例と同じであるため、説明を省略する。第２の実施例においては、ファイナライズ時に記録する、ダミーデータファイル３３と最終ＩＦＯファイル８を構成するＶＩＤＥＯ＿ＴＳ．ＩＦＯファイル３７、ＶＩＤＥＯ＿ＴＳ．ＶＯＢファイル３８、ＶＩＤＥＯ＿ＴＳ．ＢＵＰファイル３９、ＶＴＳ＿０１＿０．ＩＦＯファイル４０をそれぞれ個別に記録する。この場合の動作を図８に示す。それぞれの管理情報ファイルのデータを記録する際、記録タイミングの基準位置が、同じダミーデータファイル３３内にあるＳＹＮＣ  ｃｏｄｅに同期して生成するようにすることにより、従来の記録制御をそのまま用いることができ、かつ、リンキング部の変動は最大で±２０Ｔであり、ＤＶＤプレーヤで問題なく再生できる。この記録方法は既存の記録制御で実現できるため、第１の実施例に比べて容易に上述の効果が得られる。
【００４８】
以下に、本発明を適用した第３の実施例について説明する。第２の実施例の場合と同様、情報記録装置自体の構成、動作は、第１の実施例と同じであるため、説明を省略する。第３の実施例においては、図９（ａ）に示すように最終ＩＦＯの後にダミーデータを挿入するのではなく、図９（ｂ）に示すように、ダミーデータと最終ＩＦＯとを１つのデータ３５とし、ダミーデータと最終ＩＦＯを、一回で記録する。この場合の動作を図１０に示す。
【００４９】
５０シーン目の中間ＩＦＯファイルとダミーデータ３３との間には、第１、第２の実施例の場合と同様、最大で±４０Ｔのオーバラップ部あるいはギャップ部が発生する。一方、ダミーデータと最終ＩＦＯとを１つのデータとしてＤＶＤ−Ｒ上に記録する。最終ＩＦＯ８（ＶＩＤＥＯ＿ＴＳ．ＩＦＯファイル３７とＶＩＤＥＯ＿ＴＳ．ＶＯＢファイル３８とＶＩＤＥＯ＿ＴＳ．ＢＵＰファイル３９とＶＴＳ＿０１＿０．ＩＦＯファイル４０とから構成される）を記録する際の記録開始タイミングは、既に記録されている中間ＩＦＯ内のＳＹＮＣ  ｃｏｄｅを検出し、同期化するが、ダミーデータと最終ＩＦＯとの間にはリンキング部そのものが発生しないので、第１の実施例と同等以上の効果が得られる。
【００５０】
なお、本実施例では、最終ＩＦＯファイルの記録を例に挙げて説明したが、データの種類にかかわらず、記録タイミングを計るために要するデータの長さより短いデータを繰返し追記するのであれば、本発明を適用できることは言うまでもない。
【００５１】
また、ＤＶＤ−Ｒを例に挙げて説明したが、書き換え不可能な記録媒体に対する情報の記録であれば、本発明の適用範囲内である。
【００５２】
また、情報記録装置の構成も、図４に示した構成に限られるものではなく、データを記録しようとする記録媒体から同期信号を検出し、この同期信号によって記録タイミングを計ってデータを記録できる構成であればよい。
【００５３】
【発明の効果】
本発明によれば、データ同士のオーバラップ、データ間のギャップといったデータの記録位置の変動を抑え、データ再生の信頼性を向上させることができる。
【図面の簡単な説明】
【図１】図１は、映像シーンのデータをファイル形式で記録した際に、ＤＶＤ−Ｒ上で中間ＩＦＯファイルが更新されていく状態を示す図である。
【図２】図２は、ファイル間で生じるリンキング部を示す図である。
【図３】図３は、リンキング部の長さの変動を示す図である。
【図４】図４は、本発明の実施例であるＤＶＤカメラのうち、ＤＶＤ−Ｒへのデータ記録に関係する部分の構成するブロック図を示す。
【図５】図５は、各記録領域におけるリンキング数に対するリンキング部の変動幅を示す図である。
【図６】図６は、本発明における第１の実施例のファイルの位置関係を示す図である。
【図７】図７は、第１の実施例を行う際の記録動作の概念を示す図である。
【図８】図８は、本発明における第２の実施例のファイルの位置関係を示す図である。
【図９】図９は、第２の実施例を行う際の記録動作の概念を示す図である。
【図１０】図１０は、第３の実施例を行う際の記録動作の概念を示す図である。
【符号の説明】
２５…上位コントローラ、２６…変調部、２７…記録データ生成部、２８…タイミング生成部、２９…記録部、３０…再生部、３１…データ弁別部、３２…復調部。
【図１】
2004288230.tif 000003
【図２】
2004288230.tif 000004
【図３】
2004288230.tif 000005
【図４】
2004288230.tif 000006
【図５】
2004288230.tif 000007
【図６】
2004288230.tif 000008
【図７】
2004288230.tif 000009
【図８】
2004288230.tif 000010
【図９】
2004288230.tif 000011
【図１０】
2004288230.tif 000012